(57)【要約】      （修正有）【課題】傘や杖のＵ字型に屈曲した柄の先端部に取り付けた滑り止めのゴム又は合成樹脂を保護するキャップであって、さらに当該保護するキャップの紛失及び当該滑り止めの水膜や氷結を防止できる傘や杖の柄及びそのキャップを提供する。【解決手段】傘や杖のＵ字型に屈曲した先端部に凸部１を設け、滑り止め２を設け、布片３により凸部１とこれを保護し水膜や氷結を防止できるキャップ４を連結する。【選択図】図１
0003194208.tif 000002
【実用新案登録請求の範囲】
【請求項１】
台座上面への傘や杖の保持具に係り、カウンターやテーブルなどの台座上面に傘や杖の逆Ｕ字型に屈曲した柄の先端部に摩擦係数の高いゴム又は合成樹脂を滑り止めとして着けた傘や杖の柄。
【請求項２】
請求項１に記載した傘や杖の柄であって、当該ゴム又は合成樹脂を保護するキャップを取り付けた傘や杖の柄。
【請求項３】
請求項１または請求項２に記載した傘や杖の柄であって、キャップをはめ込めるよう凸字状に加工した部分がある傘や杖の柄。
【請求項４】
請求項１、請求項２または請求項３に記載した傘や杖の柄であって、請求項２に記載したキャップとを長方形の布片をもちいて連結した傘や杖の柄。
【請求項５】
請求項２に記載したキャップであって、請求項１に記載した摩擦係数の高いゴムまたは合成樹脂の滑り止めを保護する凹部を持つキャップ。
【請求項６】
請求項２、請求項３、請求項４または請求項５に記載したキャップであって、容易に開閉できるように爪先を入れることができるくぼみを取り付けたキャップ。
【請求項７】
請求項２、請求項３、請求項４、請求項５または請求項６に記載したキャップであって、請求項１、請求項２、請求項３または請求項４に記載した傘や杖の凸字状に加工した部分とを長方形の布片をもちいて連結したキャップ。
【考案の詳細な説明】
【技術分野】
【０００１】  本考案は、台座上面への傘や杖の保持具に係り、カウンターやテーブルなどの台座上面に傘や杖の逆Ｕ字型に屈曲した柄の先端部に摩擦係数の高いゴム又は合成樹脂を取り付け、滑り止めとし、当該ゴム又は合成樹脂を保護するキャップを取り付け、当該保護するキャップの開閉が容易になるように爪先を入れることができるくぼみを当該保護するキャップに取り付け、前記傘や杖の逆Ｕ字型に屈曲した柄の先端部と前記保護するキャップとを布片をもちいて連結したものにかかわるものである。
【背景技術】
【０００２】  従来、傘や杖の台座上面への保持具に係り、傘や杖の逆Ｕ字型に屈曲した柄の先端部に摩擦係数の高いゴム又は合成樹脂を取り付けたものが考案されていた。また、傘や杖の柄に収納凹部と当該収納凹部を覆う蓋部を回転可能に枢着されているものが、考案されていた。
【先行技術文献】
【特許文献】
【０００３】
【特許文献１】  公開実用新案公報（Ｕ）  昭６２−１７４４１２
【非特許文献】
【０００４】
【特許文献２】  公開実用新案公報（Ｕ）  昭６０−５６３１５
【非特許文献】
【考案の概要】
【考案が解決しようとする課題】
【０００５】  ところが特許文献１に記載の傘や杖の逆Ｕ字型に屈曲した柄の先端部に摩擦係数の高いゴム又は合成樹脂を取り付け滑り止めとしたものである場合、当該滑り止めが外部にさらされており、損傷しやすくなっている。【０００６】  また、特許文献１に記載の傘や杖の逆Ｕ字型に屈曲した柄の先端部に摩擦係数の高いゴム又は合成樹脂を取り付け滑り止めとしたものである場合、当該滑り止めが外部にさらされており、雨や雪などの際に雨や雪などの水分が付着し、水膜や氷結が発生することにより、ゴム又は合成樹脂の摩擦係数が低下し、滑り止めとしての機能が低下するおそれを有している。【０００７】  一方、特許文献２に記載の傘や杖の柄に収納凹部と当該収納凹部を覆う蓋部を回転可能に枢着されているものは、蓋部が回転可能に枢着されているため、開口部が完全に開放される事はない。【０００８】  また、特許文献２に記載の収納凹部と当該収納凹部を覆う蓋部の連結は突起によるため不可逆的な毀損をおこしやすい。【０００９】  さらに、特許文献２に記載の収納凹部を覆う蓋部には、開閉を容易にするための構造物はない。
【課題を解決する為の手段】
【００１０】  本考案は、上述の傘や杖の逆Ｕ字型に屈曲した柄の先端部に摩擦係数の高いゴム又は合成樹脂を取り付け滑り止めとした当該滑り止めに当該ゴム又は合成樹脂を保護するキャップを取り付け、当該保護するキャップに爪先を入れることができるくぼみを当該保護するキャップに取り付け、前記傘や杖の前記傘や杖の逆Ｕ字型に屈曲した柄の先端部と前記保護するキャップとを布片をもちいて連結したものである。
【考案の効果】
【００１１】  上述のように、傘や杖の逆Ｕ字型に屈曲した柄の先端部に摩擦係数の高いゴム又は合成樹脂を取り付け滑り止めとした当該滑り止めに当該ゴム又は合成樹脂を保護するキャップを取り付け、当該保護するキャップに爪先を入れることができるくぼみを当該保護するキャップに取り付け、前記傘や杖の逆Ｕ字型に屈曲した柄の先端部と前記保護するキャップとを布片をもちいて連結することにより、当該ゴム又は合成樹脂の損傷、水膜や氷結による摩擦係数の低下を防止し、当該キャップの着脱を容易にし、連結部の不可逆的な毀損を防止する事ができる。
【図面の簡単な説明】
【００１２】
【図１】本考案に係るカウンターやテーブルなどの台座上面に対する傘や杖の柄滑り止めの一実施例の正面図である。
【図２】本考案に係る本考案に係る傘や杖の逆Ｕ字型に屈曲した柄の先端部に本考案にかかるキャップを取り付けられるよう凸字状に加工した当該傘や杖の逆Ｕ字型に屈曲した柄の先端部の形状を示す断面図である。
【図３】本考案に係る滑り止めを覆う爪先を入れることができるくぼみをつけたキャップの上面図である。
【図４】本考案に係る傘や杖の逆Ｕ字型に屈曲した柄の先端部に摩擦係数の高いゴム又は合成樹脂を取り付け滑り止めとする当該滑り止めの断面図である。
【図５】本考案に係る傘や杖の逆Ｕ字型に屈曲した柄の先端部に摩擦係数の高いゴム又は合成樹脂を取り付けた柄の先端部と前期キャップを連結するための布片の一例の正面図である。
【図６】本考案に係る上記キャップの内部の形状の一例を示す断面図である。
【符号の説明】
【００１３】  １  傘や杖の逆Ｕ字型に屈曲した柄の先端部に形成される、キャップの凸字状の受部
２  傘や杖の逆Ｕ字型に屈曲した柄の先端部に接着される滑り止め
３  傘や杖の逆Ｕ字型に屈曲した柄の先端部とキャップを連結する布片
４  滑り止めを保護するキャップ
５  キャップに加工する爪先を入れるくぼみ
６  キャップの凹部
７  キャップの凹部の底面
８  キャップの凹部の側面
【考案を実施するための形態】
【００１４】  上述の傘や杖の逆Ｕ字型に屈曲した柄の先端部に摩擦係数の高いゴム又は合成樹脂を接着により取り付け滑り止めとし、キャップのはめ込み用に傘や杖の逆Ｕ字型に屈曲した柄の先端部に当該柄の外周よりも内側かつ当該滑り止めの外側であって当該取り付ける滑り止めの頂点よりも低い凸字状の受部を加工することにより上述のキャップをはめ込めるようにする。
【００１５】  上述のキャップには凹部を内側に設け、上記のキャップ凹部の底部の一部に布片の一端を取りつけ、当該布片の逆側の一端を上記受部に取り付け、上述の布片を取り付けたキャップ凹部の底部の正面位置の当該キャップの外周部分に爪を入れるくぼみを取り付ける。
【００１６】  上述のキャップの外径と傘や杖の逆Ｕ字型に屈曲した柄の先端部の外径は同一とする。
【００１７】  上述のキャップと傘や杖の逆Ｕ字型に屈曲した柄の先端部は上記布片により常時連結されることとなる。
【実施例】
【００１８】  以下、本考案に係る傘や杖の逆Ｕ字型に屈曲した柄の先端部に摩擦係数の高いゴム又は合成樹脂を取り付け滑り止めとした当該滑り止めに当該ゴム又は合成樹脂を保護するキャップを取り付け、当該保護するキャップに爪先を入れることができるくぼみを当該保護するキャップに取り付け、前記傘や杖の前記傘や杖の逆Ｕ字型に屈曲した柄の先端部と前記保護するキャップとを布片をもちいて連結した傘や杖の柄の好ましい実施形態を図面に基づいて説明する。【００１９】  図１は、本考案に係る傘や杖の逆Ｕ字型に屈曲した柄の先端部に摩擦係数の高いゴム又は合成樹脂を取り付け滑り止めとした当該滑り止めに当該ゴム又は合成樹脂を保護するキャップを取り付け、当該保護するキャップに爪先を入れることができるくぼみを当該保護するキャップに取り付け、前記傘や杖の前記傘や杖の逆Ｕ字型に屈曲した柄の先端部と前記保護するキャップとを布片をもちいて連結した傘や杖の柄の一実施形態を示す正面図で、当該傘や杖の逆Ｕ字型に屈曲した先端部に上述のキャップの受部１をもうけ、先端部に摩擦係数の高いゴム又は合成樹脂２を取り付け滑り止めとし、布片３により当該滑り止めに当該ゴム又は合成樹脂を保護するキャップ４と受部１を連結し、当該キャップに当該キャップの外周部分に爪を入れるくぼみを取り付けた部分５を有するものである。【００２０】  １に示すように、上述の傘や杖の逆Ｕ字型に屈曲した柄の先端部には、上述のキャップ４をはめ込むことができるように、凸字状の加工がなされなければならず、これにより当該キャップを上述の傘や杖の逆Ｕ字型に屈曲した柄の先端部にはめ込むことができる。当該キャップの外径と当該傘や杖の逆Ｕ字型に屈曲した柄の外径は同じである事が望ましい。これにより上述の傘や杖の使用者が当該柄を手で持った場合に違和感をなくすことができる。【００２１】  ５に示すように、上述のキャップには、爪先を入れることができるくぼみを当該キャップの傘や杖の逆Ｕ字型に屈曲した柄の先端部に接する面に加工することが望ましい。これにより、当該キャップを外すことが容易に行えるものとすることができる。【００２２】  ２に示すように、上述の滑り止めは、半球状とすることが望ましい。半球状とすることにより、上述の滑り止めとカウンターやテーブルなどの台座上面との接触面が大きくなり、カウンターやテーブルなどの台座上面に対し、当該傘や杖を当該傘や杖の使用者が置く場合に前記台座上面と当該傘や杖の角度を考慮する必要性が減少し、当該使用者が容易に当該台座上面に置くことができるようになる。【００２３】  ３に示すように、上述の傘や杖の柄と上述のキャップを連結する布片は、薄くかつ長方形であることが望ましい。これにより当該布片の長さを幅と関係なく設定でき、上述のキャップをはめ込む場合に当該布片の収納も容易となる。【００２４】  また、布片により上述の傘の柄と上述のキャップを連結することにより、連結部分を布片以外の樹脂や金属とする場合に比べて、連結する部分の動きや位置の状態が制約される事が少なくなり、当該連結部分の破損の可能性を低減する事ができる。【００２５】  上述のキャップは、１と８が相互に密着することとなる。当該キャップの８の長さは、��の凸字上の部分の長さに上述の２の滑り止めの高さを加えた長さを超えるものとし、上述のキャップの凹部の底面を示す７と８が、直角となるものとする。これにより上述の滑り止めが２のように半球状になる事とあわせ、当該滑り止めと当該キャップのくぼみの部分に空間ができ、上述の布片を収納する空間が形成されることとなる。【００２６】  ３の布片は、１の凸字状の部分と７及び８が直角をなす部分の双方にその両端を接合することが望ましい。このように布片で連結する事により、上述のキャップの紛失を防止する事ができる。【００２７】  上述の２に示す半球状の滑り止めは、ゴム又は軟質の樹脂であって、摩擦係数が高いものが必要であり、上述の傘や杖の柄の先端部に凸字状に加工した部分と接着剤により接合可能な性質のものが望ましい。これにより、当該傘や杖の使用者が当該滑り止めを破損した場合であっても容易に修理することができることとなる。【００２８】  また、１に示すように、上述の傘や杖の逆Ｕ字型に屈曲した柄の先端部には、上述のキャップ４をはめ込むことができるように、凸字状の加工がなされており、これにより当該キャップを上述の傘や杖の逆Ｕ字型に屈曲した柄の先端部にはめ込むこととしているため、上述の布片が切断された場合であっても、上述の滑り止めのみの使用に関しては特別な問題はない。【００２９】  上述のように、本考案は使用中に一部分の破損があっても使用を続行できる特徴を備えている。
【産業上の利用可能性】
【００３０】  飲食店等のカウンターやテーブルなどの台座上面に傘や杖を吊り下げ保持するため傘や杖の逆Ｕ字型に屈曲した柄の先端部に摩擦係数の高いゴム又は合成樹脂を取り付け、当該摩擦係数の高いゴム又は合成樹脂をキャップにて保護する。
【図１】
0003194208.tif 000003
【図２】
0003194208.tif 000004
【図３】
0003194208.tif 000005
【図４】
0003194208.tif 000006
【図５】
0003194208.tif 000007
【図６】
0003194208.tif 000008
【手続補正書】
【提出日】平成26年8月28日(2014.8.28)
【手続補正１】
【補正対象書類名】実用新案登録請求の範囲
【補正対象項目名】全文
【補正方法】変更
【補正の内容】
【実用新案登録請求の範囲】
【請求項１】
台座上面への傘や杖の保持具に係り、傘や杖の逆Ｕ字型に屈曲した柄の先端部に摩擦係数の高いゴム又は合成樹脂を滑り止めとして取り付けた傘や杖の柄。
【請求項２】
請求項１に記載した傘や杖の柄であって、当該ゴム又は合成樹脂を保護するキャップを取り付けた傘や杖の柄。
【請求項３】
請求項２に記載した傘や杖の柄であって、前記キャップをはめ込めるよう凸字状に加工した部分がある傘や杖の柄。
【請求項４】
請求項２または請求項３に記載した傘や杖の柄であって、前記キャップとを長方形の布片をもちいて連結した傘や杖の柄。